(57)【要約】【課題】  輝度分布の均一化を図ることが可能なＬＥＤ光源装置を提供すること。【解決手段】  表面２０１および裏面２０２を有する細長状の基板２００と、基板２００の表面２０１に支持された複数のＬＥＤチップ３００と、複数のＬＥＤチップ３００に対して基板２００とは反対側に位置し、複数のＬＥＤチップ３００からの光を拡散させつつ透過させる天井部７１０、基板２００の長手方向における少なくとも一部を基板２００の厚さ方向全域において収容する収容空間７０２、および基板２００の厚さ方向における収容空間７０２の裏面２０２側端を規定する底部７３０、を有する、拡散カバー７００と、を備え、拡散カバー７００には、天井部７１０と底部７３０との間において、少なくとも基板２００の厚さ方向において基板２００に対して表面２０１側に位置する部分を有し、外側に通じる１以上の開口部７４０、が設けられている。【選択図】  図８
2014022805.tif 000002
【特許請求の範囲】
【請求項１】
表面および裏面を有する細長状の基板と、
上記基板の上記表面に支持された複数のＬＥＤチップと、
上記複数のＬＥＤチップに対して上記基板とは反対側に位置し、上記複数のＬＥＤチップからの光を拡散させつつ透過させる天井部、上記基板の長手方向における少なくとも一部を上記基板の厚さ方向全域において収容する収容空間、および上記基板の厚さ方向における上記収容空間の上記裏面側端を規定する底部、を有する、拡散カバーと、を備え、
上記拡散カバーには、上記天井部と上記底部との間において、少なくとも上記基板の厚さ方向において上記基板に対して上記表面側に位置する部分を有し、外側に通じる１以上の開口部、が設けられていることを特徴とする、ＬＥＤ光源装置。
【請求項２】
上記拡散カバーは、上記基板を挟んで上記基板の短手方向両側に位置する２つの側板部を有し、
上記１以上の開口部は、上記側板部に設けられているものを含む、請求項１に記載のＬＥＤ光源装置。
【請求項３】
上記拡散カバーは、２つの上記側板部に各別に設けられ、上記基板の長手方向における位置が一致している２つの上記開口部を有する、請求項２に記載のＬＥＤ光源装置。
【請求項４】
上記側板部には、上記基板の長手方向に離間する複数の上記開口部が設けられている、請求項２または３に記載のＬＥＤ光源装置。
【請求項５】
上記側板部に設けられた上記開口部は、上記基板の厚さ方向における表面側端および裏面側端を有する、請求項２ないし４のいずれかに記載のＬＥＤ光源装置。
【請求項６】
上記側板部に設けられた上記開口部の上記裏面側端は、上記基板の上記表面よりも上記裏面側に位置する、請求項５に記載のＬＥＤ光源装置。
【請求項７】
上記拡散カバーは、上記収容空間内に向かって凸状である１以上の位置決め凸部を有する、請求項１ないし６のいずれかに記載のＬＥＤ光源装置。
【請求項８】
上記１以上の位置決め凸部は、上記基板の短手方向に向かって凸状であるものを含む、請求項７に記載のＬＥＤ光源装置。
【請求項９】
上記拡散カバーは、上記基板を挟んで上記基板の短手方向両側に位置し、上記基板の短手方向に向かって凸状である２つの上記位置決め凸部を有する、請求項８に記載のＬＥＤ光源装置。
【請求項１０】
上記１以上の位置決め凸部は、上記底部に設けられているものを含む、請求項７ないし９のいずれかに記載のＬＥＤ光源装置。
【請求項１１】
上記１以上の位置決め凸部は、上記基板の長手方向に延びるリブ状のものを含む、請求項７ないし１０のいずれかに記載のＬＥＤ光源装置。
【請求項１２】
上記拡散カバーは、上記基板の短手方向に離間して平行に配置されている２つの上記位置決め凸部を有する、請求項７ないし１１のいずれかに記載のＬＥＤ光源装置。
【請求項１３】
上記拡散カバーは、上記基板の長手方向に離間配置された複数の上記位置決め凸部を有する、請求項７ないし１２のいずれかに記載のＬＥＤ光源装置。
【請求項１４】
上記底部は、上記基板の短手方向においてつながっている、請求項１ないし１３のいずれかに記載のＬＥＤ光源装置。
【請求項１５】
上記底部は、上記基板の短手方向において分割されている、請求項１ないし１３のいずれかに記載のＬＥＤ光源装置。
【請求項１６】
上記基板を取り外した場合の上記収容空間の上記基板の短手方向における寸法は、上記基板の短手方向寸法よりも小である、請求項１５に記載のＬＥＤ光源装置。
【請求項１７】
上記拡散カバーは、樹脂からなり、かつ押出成形によって形成されている、請求項１ないし１６のいずれかに記載のＬＥＤ光源装置。
【請求項１８】
線状光を読取対象物に向けて出射するＬＥＤ光源装置と、
上記読取対象物によって反射された光を受光する受光センサと、
上記ＬＥＤ光源装置および上記受光センサを収容する筐体と、を備えた画像読取装置であって、
上記ＬＥＤ光源装置は、表面および裏面を有する細長状の基板と、上記基板の上記表面に支持され、上記基板の長手方向に並ぶ複数のＬＥＤチップと、上記複数のＬＥＤチップに対して上記基板とは反対側に位置し、上記複数のＬＥＤチップからの光を拡散させつつ透過させる天井部、上記基板の長手方向における少なくとも一部を上記基板の厚さ方向全域において収容する収容空間、および上記基板の厚さ方向における上記収容空間の上記裏面側端を規定する底部、を有する、拡散カバーと、を備え、
上記拡散カバーには、上記天井部と上記底部との間において、少なくとも上記基板の厚さ方向において上記基板に対して上記表面側に位置する部分を有し、外側に通じる１以上の開口部、が設けられており、
上記筐体には、上記開口部を通じて上記拡散カバーの外側から内側に進入させられ、かつ上記基板の上記表面に当接して上記基板を上記裏面側に押さえる１以上の押さえ部と、上記拡散カバーの上記底部を支持する支持部と、が設けられていることを特徴とする、画像読取装置。
【請求項１９】
上記拡散カバーは、上記基板を挟んで上記基板の短手方向両側に位置する２つの側板部を有し、
上記１以上の開口部は、上記側板部に設けられているものを含み、
上記押さえ部は、上記側板部に設けられている上記開口部を通じて上記拡散カバーの内側に進入させられている、請求項１８に記載の画像読取装置。
【請求項２０】
上記拡散カバーは、２つの上記側板部に各別に設けられ、上記基板の長手方向における位置が一致している２つの上記開口部を有し、
上記押さえ部は、２つの上記開口部の各々を通じて上記拡散カバーの内側に進入させられている、請求項１９に記載の画像読取装置。
【請求項２１】
上記側板部には、上記基板の長手方向に離間する複数の上記開口部が設けられており、
上記押さえ部は、複数の上記開口部の各々を通じて上記拡散カバーの内側に進入させられている、請求項１９または２０に記載の画像読取装置。
【請求項２２】
上記側板部に設けられた上記開口部は、上記基板の厚さ方向における表面側端および裏面側端を有する、請求項１９ないし２１のいずれかに記載の画像読取装置。
【請求項２３】
上記側板部に設けられた上記開口部の上記裏面側端は、上記基板の上記表面よりも上記裏面側に位置する、請求項２２に記載の画像装置。
【請求項２４】
上記押さえ部は、上記基板の厚さ方向に延びる第１部分と、上記第１部分の端部につながるとともに上記基板の厚さ方向と交差する方向に延び、上記基板の上記表面に当接する第２部分と、を有する、請求項１９ないし２３のいずれかに記載の画像読取装置。
【請求項２５】
上記１以上の押さえ部は、上記第２部分が上記基板の短手方向に延びるものを含む、請求項２４に記載の画像読取装置。
【請求項２６】
上記基板の長手方向端が上記拡散カバーの外側に露出しており、
上記筐体には、上記基板の長手方向端における上記表面に当接して上記基板を上記裏面側に押さえる１以上の追加の押さえ部が設けられている、請求項１８ないし２５のいずれかに記載の画像読取装置。
【発明の詳細な説明】
【技術分野】
【０００１】
本発明は、ＬＥＤ光源装置および、これを備えた画像読取装置に関する。
【背景技術】
【０００２】
従来より、画像読取装置用の光源装置として、冷陰極管が広く用いられている。近年は、この冷陰極管の代替品として、ＬＥＤチップを有する光源が提案されている。特許文献１には、主走査方向に配列された複数のＬＥＤチップを備える光源装置が開示されている。各ＬＥＤチップからの光を合成することにより、主走査方向に広がる光を読み取り対象である原稿に照射する。
【０００３】
しかしながら、複数のＬＥＤチップを備える上記光源装置は、複数の点光源の集合である。このため、上記光源装置からの光の輝度分布は、主走査方向において複数のピークを有するものとなる。このような輝度分布の光によって照らされた原稿を読み取ると、読み取り画像データに不当なムラが生じるという問題が生じる。
【先行技術文献】
【特許文献】
【０００４】
【特許文献１】特開２００９−２０１１４９号公報
【発明の概要】
【発明が解決しようとする課題】
【０００５】
本発明は、上記した事情のもとで考え出されたものであって、輝度分布を均一化するのに適したＬＥＤ光源装置、およびそのようなＬＥＤ光源装置を備えた画像読取装置を提供することをその課題とする。また、本発明の補足的な課題は、ＬＥＤ光源装置を意図した位置に容易に組み込むのに適した画像読取装置を提供することである。
【課題を解決するための手段】
【０００６】
本発明の第１の側面によって提供されるＬＥＤ光源装置は、表面および裏面を有する細長状の基板と、上記基板の上記表面に支持された複数のＬＥＤチップと、上記複数のＬＥＤチップに対して上記基板とは反対側に位置し、上記複数のＬＥＤチップからの光を拡散させつつ透過させる天井部、上記基板の長手方向における少なくとも一部を上記基板の厚さ方向全域において収容する収容空間、および上記基板の厚さ方向における上記収容空間の上記裏面側端を規定する底部、を有する、拡散カバーと、を備え、上記拡散カバーには、上記天井部と上記底部との間において、少なくとも上記基板の厚さ方向において上記基板に対して上記表面側に位置する部分を有し、外側に通じる１以上の開口部、が設けられていることを特徴としている。
【０００７】
本発明の好ましい実施の形態においては、上記拡散カバーは、上記基板を挟んで上記基板の短手方向両側に位置する２つの側板部を有し、上記１以上の開口部は、上記側板部に設けられているものを含む。
【０００８】
本発明の好ましい実施の形態においては、上記拡散カバーは、２つの上記側板部に各別に設けられ、上記基板の長手方向における位置が一致している２つの上記開口部を有する。
【０００９】
本発明の好ましい実施の形態においては、上記側板部には、上記基板の長手方向に離間する複数の上記開口部が設けられている。
【００１０】
本発明の好ましい実施の形態においては、上記側板部に設けられた上記開口部は、上記基板の厚さ方向における表面側端および裏面側端を有する。
【００１１】
本発明の好ましい実施の形態においては、上記側板部に設けられた上記開口部の上記裏面側端は、上記基板の上記表面よりも上記裏面側に位置する。
【００１２】
本発明の好ましい実施の形態においては、上記拡散カバーは、上記収容空間内に向かって凸状である１以上の位置決め凸部を有する。
【００１３】
本発明の好ましい実施の形態においては、上記１以上の位置決め凸部は、上記基板の短手方向に向かって凸状であるものを含む。
【００１４】
本発明の好ましい実施の形態においては、上記拡散カバーは、上記基板を挟んで上記基板の短手方向両側に位置し、上記基板の短手方向に向かって凸状である２つの上記位置決め凸部を有する。
【００１５】
本発明の好ましい実施の形態においては、上記１以上の位置決め凸部は、上記底部に設けられているものを含む。
【００１６】
本発明の好ましい実施の形態においては、上記１以上の位置決め凸部は、上記基板の長手方向に延びるリブ状のものを含む。
【００１７】
本発明の好ましい実施の形態においては、上記拡散カバーは、上記基板の短手方向に離間して平行に配置されている２つの上記位置決め凸部を有する。
【００１８】
本発明の好ましい実施の形態においては、上記拡散カバーは、上記基板の長手方向に離間配置された複数の上記位置決め凸部を有する。
【００１９】
本発明の好ましい実施の形態においては、上記底部は、上記基板の短手方向においてつながっている。
【００２０】
本発明の好ましい実施の形態においては、上記底部は、上記基板の短手方向において分割されている。
【００２１】
本発明の好ましい実施の形態においては、上記基板を取り外した場合の上記収容空間の上記基板の短手方向における寸法は、上記基板の短手方向寸法よりも小である。
【００２２】
本発明の好ましい実施の形態においては、上記拡散カバーは、樹脂からなり、かつ押出成形によって形成されている。
【００２３】
本発明の第２の側面によって提供される画像読取装置は、線状光を読取対象物に向けて出射するＬＥＤ光源装置と、上記読取対象物によって反射された光を受光する受光センサと、上記ＬＥＤ光源装置および上記受光センサを収容する筐体と、を備えた画像読取装置であって、上記ＬＥＤ光源装置は、表面および裏面を有する細長状の基板と、上記基板の上記表面に支持され、上記基板の長手方向に並ぶ複数のＬＥＤチップと、上記複数のＬＥＤチップに対して上記基板とは反対側に位置し、上記複数のＬＥＤチップからの光を拡散させつつ透過させる天井部、上記基板の長手方向における少なくとも一部を上記基板の厚さ方向全域において収容する収容空間、および上記基板の厚さ方向における上記収容空間の上記裏面側端を規定する底部、を有する、拡散カバーと、を備え、上記拡散カバーには、上記天井部と上記底部との間において、少なくとも上記基板の厚さ方向において上記基板に対して上記表面側に位置する部分を有し、外側に通じる１以上の開口部、が設けられており、上記筐体には、上記開口部を通じて上記拡散カバーの外側から内側に進入させられ、かつ上記基板の上記表面に当接して上記基板を上記裏面側に押さえる１以上の押さえ部と、上記拡散カバーの上記底部を支持する支持部と、が設けられていることを特徴としている。
【００２４】
本発明の好ましい実施の形態においては、上記押さえ部は、上記基板の厚さ方向に延びる第１部分と、上記第１部分の端部につながるとともに上記基板の厚さ方向と交差する方向に延び、上記基板の上記表面に当接する第２部分と、を有する。
【００２５】
本発明の好ましい実施の形態においては、上記拡散カバーは、上記基板を挟んで上記基板の短手方向両側に位置する２つの側板部を有し、上記１以上の開口部は、上記側板部に設けられているものを含み、上記押さえ部は、上記側板部に設けられている上記開口部を通じて上記拡散カバーの内側に進入させられている。
【００２６】
本発明の好ましい実施の形態においては、上記拡散カバーは、２つの上記側板部に各別に設けられ、上記基板の長手方向における位置が一致している２つの上記開口部を有し、上記押さえ部は、２つの上記開口部の各々を通じて上記拡散カバーの内側に進入させられている。
【００２７】
本発明の好ましい実施の形態においては、上記側板部には、上記基板の長手方向に離間する複数の上記開口部が設けられており、上記押さえ部は、複数の上記開口部の各々を通じて上記拡散カバーの内側に進入させられている。
【００２８】
本発明の好ましい実施の形態においては、上記側板部に設けられた上記開口部は、上記基板の厚さ方向における表面側端および裏面側端を有する。
【００２９】
本発明の好ましい実施の形態においては、上記側板部に設けられた上記開口部の上記裏面側端は、上記基板の上記表面よりも上記裏面側に位置する。
【００３０】
本発明の好ましい実施の形態においては、上記１以上の押さえ部は、上記第２部分が上記基板の短手方向に延びるものを含む。
【００３１】
本発明の好ましい実施の形態においては、上記基板の長手方向端が上記拡散カバーの外側に露出しており、上記筐体には、上記基板の長手方向端における上記表面に当接して上記基板を上記裏面側に押さえる１以上の追加の押さえ部が設けられている。
【００３２】
このような構成によれば、上記複数のＬＥＤチップからの光を上記拡散カバーによって拡散させることにより、上記ＬＥＤ光源装置からの光に複数のピークが生じることを緩和することが可能である。したがって、上記ＬＥＤ光源装置の輝度分布の均一化を図ることができる。
【００３３】
本発明のその他の特徴および利点は、添付図面を参照して以下に行う詳細な説明によって、より明らかとなろう。
【図面の簡単な説明】
【００３４】
【図１】本発明に係る画像読取装置の一例を示す全体構成概略図である。
【図２】図１のＩＩ−ＩＩ矢視図である。
【図３】図２のＬＥＤ光源装置を示す要部拡大平面図である。
【図４】図２のＬＥＤ光源装置を示す要部拡大平面図である。
【図５】図２のＬＥＤ光源装置を示す要部拡大平面図である。
【図６】図２のＬＥＤ光源装置を示す要部拡大平面図である。
【図７】図２のＬＥＤ光源装置を示す要部拡大斜視図である。
【図８】図２のＶＩＩＩ−ＶＩＩＩ線に沿う拡大断面図である。
【図９】図４のＩＸ−ＩＸ線に沿う拡大断面図である。
【図１０】図４のＸ−Ｘ線に沿う拡大断面図である。
【図１１】図２のＬＥＤ光源装置の概略回路図である。
【図１２】本発明に係るＬＥＤ光源装置の変形例を示す図８と同様の断面図である。
【図１３】図１２の変形例の基板およびＬＥＤモジュールを示す要部斜視図である。
【図１４】図１３のＸＩＶ−ＸＩＶ線に沿う断面図である。
【図１５】本発明に係るＬＥＤ光源装置の第２実施形態を示す図８と同様の断面図である。
【図１６】本発明に係るＬＥＤ光源装置の第３実施形態を示す図８と同様の断面図である。
【図１７】本発明に係るＬＥＤ光源装置の第４実施形態を示す図８と同様の断面図である。
【図１８】本発明に係るＬＥＤ光源装置の第５実施形態を示す図８と同様の断面図である。
【図１９】本発明に係るＬＥＤ光源装置の第６実施形態を示す図８と同様の断面図である。
【図２０】図１９のＬＥＤ光源装置の拡散カバーを示す断面図である。
【図２１】本発明に係る画像読取装置の他の例を示す全体構成概略図である。
【発明を実施するための形態】
【００３５】
以下、本発明の好ましい実施の形態につき、図面を参照して具体的に説明する。
【００３６】
図１〜図１０は、本発明に係る画像読取装置またはＬＥＤ光源装置の一例を示している。本実施形態の画像読取装置１０１は、筐体１１０、ＬＥＤ光源装置１２１、および受光センサ１３０を備えて構成されたシートフィード型スキャナである。
【００３７】
筐体１１０は、図１において、紙面に垂直である方向（主走査方向）に一定幅を有する箱状に形成されている。筐体１１０の適所には、透明ガラスなどからなる読取部１１１が嵌め込まれている。読取対象物である原稿Ｄｃの記載内容の読取時には、当該原稿Ｄｃが図示しないプラテンローラによって読取部１１１の表面に押し付けられながら副走査方向に搬送される。筐体１１０の内部には、ＬＥＤ光源装置１２１および受光センサ１３０が収容されている。
【００３８】
本実施形態では、２つのＬＥＤ光源装置１２１と１つの受光センサ１３０とが、筐体１１０に取り付けられている。より詳細には、ＬＥＤ光源装置１２１は、支持プレート１４０を介して筐体１１０に取り付けられており、受光センサ１３０は、センサ基板１５０を介して筐体１１０に取り付けられている。
【００３９】
本実施形態では、図１に示すように、２つのＬＥＤ光源装置１２１は、受光センサ１３０を挟んで対称に配置されており、同一の構成とされている。以下の説明においては、主に図１において左側に配置されたＬＥＤ光源装置１２１について説明する。
【００４０】
図２〜図１０に示すように、ＬＥＤ光源装置１２１は、基板２００、複数のＬＥＤチップ３００、リフレクタ４００、蛍光樹脂５００、および拡散カバー７００を備えている。ＬＥＤ光源装置１２１は、筐体１１０内に組み込まれた状態において原稿Ｄｃに対して主走査方向に延びる白色光を照射する。なお、図４および図６においては、理解の便宜上、拡散カバー７００を省略している。
【００４１】
基板２００は、ＬＥＤ光源装置１２１の土台となるものであり、細長矩形状とされている。図中のｘ方向は、基板２００の長手方向であり、ＬＥＤ光源装置１２１が筐体１１０内に組み込まれるときには主走査方向となる。図中のｙ方向は、基板２００の短手方向である。図中のｚ方向は、基板２００の厚さ方向である。基板２００は、表面２０１、裏面２０２および１対の側面２０３を有する。
【００４２】
基板２００は、基材２１０、配線パターン２２０およびレジスト層２３０を有する。なお、図３〜図６においては、レジスト層２３０を想像線で示している。基材２１０は、たとえばアルミナなどのセラミックスからなる、細長矩形状の板材である。配線パターン２２０は、複数のＬＥＤチップ３００に給電するための導通経路を構成するものであり、表面２０１側にある。配線パターン２２０は、基材２１０上に形成されたたとえばＡｇＰｔ層からなる。レジスト層２３０は、たとえば白色樹脂からなり、基材２１０および配線パターン２２０のうち複数のＬＥＤチップ３００およびリフレクタ４００から露出した部位を覆っている。図２、図３、図５に示すように、基板２００は、その大部分が拡散カバー７００の内側に配置される一方、長手方向両端２０４が拡散カバー７００の外側に露出している。なお、本実施形態の基板２００の構成はあくまで一例であり、たとえば基材２１０として表面に絶縁層が形成されたアルミなどの金属からなる板材を用いてもよい。あるいは、基材２１０の材質としては、ガラスエポキシ樹脂などの絶縁性樹脂を適宜選択できる。
【００４３】
複数のＬＥＤチップ３００は、基板２００に直接搭載されており、基板２００の表面２０１上において当該基板２００の長手方向（ｘ方向）に沿って配列されている。ＬＥＤチップ３００は、たとえばＧａＮ系半導体からなり、青色光を発する。本実施形態のＬＥＤチップ３００は、いわゆる２ワイヤタイプとして構成されているが、これに限定されない。
【００４４】
図１１は、ＬＥＤ光源装置１０１の回路図を示している。本実施形態においては、３５個のＬＥＤチップ３００が採用されている。これらのＬＥＤチップ３００は、７個ずつのＬＥＤチップ３００からなる５個のＬＥＤチップグループ３０１を構成している。各ＬＥＤチップグループ３０１に属する７個のＬＥＤチップ３００どうしは、互いに直列に接続されている。また、５個のＬＥＤチップグループ３０１どうしは、互いに並列に接続されている。図１１における符号Ｃは、カソード端子を示し、符号Ａは、アノード端子を示す。各ＬＥＤチップグループ３０１のカソード端子Ｃ側には、抵抗器３２０が直列に接続されている。図２〜図６に示すように、５個の抵抗器３２０が、基板２００のｘ方向両端寄り部分に搭載されている。また、図４および図６に示すように、各ＬＥＤチップ３００に隣接する位置には、ツェナーダイオード３１０が設けられている。ツェナーダイオード３１０は、ＬＥＤチップ３００に過大な逆電圧が印加されることを防ぐ機能を果たす。
【００４５】
リフレクタ４００は、たとえば白色樹脂であり、ｘ方向に延びる細長枠状である。リフレクタ４００は、ｘ方向に配列されたＬＥＤチップ３００をｚ方向視において囲んでいる。リフレクタ４００は、ｘ方向において複数の抵抗器３２０の内側に配置されている。また、リフレクタ４００は、ｙ方向における寸法が基板２００よりも小であり、基板２００のｙ方向中央付近に配置されている。リフレクタ４００は、１対の反射面４１０、複数の中間リブ４２０、２つの端部リブ４３０および２つの追加リブ４４０を有している。リフレクタ４００は、たとえば接着剤（図示略）によって基板２００の表面２０１に接合されている。
【００４６】
１対の反射面４１０は、各々がｘ方向に延びており、複数のＬＥＤチップ３００を挟んでｙ方向に離間している。１対の反射面４１０は、ｚ方向において基板２００から遠ざかるほど互いの距離が大となるように傾斜している。これにより、１対の反射面４１０は、ＬＥＤチップ３００からｙ方向に出射された光をｚ方向上方へと向かわせる機能を果たす。複数の中間リブ４２０は、ｘ方向に離間配置されており、各々がｙ方向において１対の反射面４１０を連結している。図９に示すように、各中間リブ４２０は、ｚ方向における高さが反射面４１０よりも小である。２つの端部リブ４３０は、リフレクタ４００のｘ方向両端に位置している。各端部リブ４３０は、ｙ方向において１対の反射面４１０を連結しており、図１０に示すように、ｚ方向における高さが反射面４１０よりも小である。２つの追加リブ４４０は、２つの端部リブ４３０上に形成されており、たとえば白色のシリコーン樹脂からなる。各追加リブ４４０は、１対の反射面４１０と端部リブ４３０とによって形成される凹部を埋めている。
【００４７】
ＬＥＤ光源装置１２１の製造工程においては、たとえば、リフレクタ４００を形成するための中間品として、複数のリフレクタ４００がｘ方向に連結された部材を用いることができる。この中間品には、複数の中間リブ４２０に該当するものがｘ方向の適所に形成されている。この中間品をｘ方向において分割するように切断することにより、リフレクタ４００を形成する。ｘ方向両端に位置することとなった中間リブ４２０が端部リブ４３０となる。そして、端部リブ４３０の上面にたとえばノズルから白色のシリコーン樹脂材料を塗布することにより、追加リブ４４０が得られる。
【００４８】
蛍光樹脂５００は、リフレクタ４００に囲まれた空間に充填されており、たとえば透明樹脂に蛍光材料が混入されたものである。上記蛍光材料としては、たとえばＬＥＤチップ３００からの青色光によって励起されることにより黄色光を発するものが採用される。なお、上記蛍光材料としては、ＬＥＤチップ３００からの青色光によって励起されることにより赤色光を発するものと緑色光を発するものとを混ぜて採用してもよい。図８および図９に示すように、蛍光樹脂５００のｚ方向上面は、リフレクタ４００のｚ方向上端とほぼ同じ高さとなっている。また、蛍光樹脂５００は、中間リブ４２０を跨いでおり、中間リブ４２０によってはｘ方向において分割されていない。
【００４９】
拡散カバー７００は、ｘ方向に延びる細長状であり、支持プレート１４０に取り付けられている。拡散カバー７００は、天板部７１０、２つの側板部７２０および底部７３０を有しており、底部７３０が支持プレート１４０に支持されている。本実施形態においては、底部７３０がｙ方向にわたって分割されていない。このため、拡散カバー７００のｙｚ平面における断面形状は、後述の開口部７４０が設けられた部位を除き、閉じた略矩形環状とされている。拡散カバー７００は、収容空間７０２および拡散促進空間７０１を有している。収容空間７０２は、基板２００を収容し、これを保持する空間である。拡散促進空間７０１は、複数のＬＥＤチップ３００と天板部７１０との間に所定の距離を確保することにより、拡散カバー７００による光の拡散を促進するために設けられている。拡散カバー７００は、たとえばポリカーボネート樹脂、アクリル樹脂、ＡＢＳ樹脂（アクリロニトリル・ブタジエン・スチレン共重合合成樹脂）、ＰＥＴ（ポリエチレンテレフタレート）樹脂、ポリ塩化ビニル樹脂などからなり、半透明な乳白色とされている。なお、拡散カバー７００を透明な筒状体によって形成し、天板部７１０に拡散機能を発揮する拡散シートを貼りつけた構成としてもよい。あるいは、天板部７１０のみを拡散機能を発揮しうる構成とし、側板部７２０および底部７３０を白色樹脂または透明樹脂などによって形成してもよい。また、本実施形態においては、天板部７１０の厚さは、側板部７２０の厚さよりも厚い。
【００５０】
本実施形態において、拡散カバー７００の各側板部７２０には、複数の開口部７４０が設けられている。各側板部７２０に設けられた複数（本実施形態では４つ）の開口部７４０は、ｘ方向（基板２００の長手方向）において間隔を隔てて配されている。また、一方の側板部７２０に設けられた複数の開口部７４０と他方の側板部７２０に設けられた複数の開口部７４０とは、ｘ方向における位置が一致している。本実施形態では、一方の側板部７２０に設けられた開口部７４０と他方の側板部７２０に設けられた開口部７４０とは、互いのｚ方向位置が一致している。
【００５１】
開口部７４０は、側板部７２０の厚さ方向（ｙ方向）に貫通する概略矩形状とされており、基板２００の厚さ方向（ｚ方向）における表面側端７４１と裏面側端７４２とを有する。開口部７４０の裏面側端７４２は、基板２００の表面２０１よりも裏面２０２側に位置する。
【００５２】
支持プレート１４０は、たとえば金属板に折り曲げ加工および切り込み加工を施すことにより形成されたものである。支持プレート１４０は、ｘ方向に延びており、拡散カバー７００を支持する支持部１４１と、支持部１４１を挟んでｙ方向に離間する１対の傾斜部１４２とを有する。１対の傾斜部１４２は、ｚ方向において支持部１４１から遠ざかるほど互いの距離が大となるように傾斜している。支持プレート１４０のうち拡散カバー７００が載置される側の面には、たとえば白色塗装が施されており、光反射率の高い高反射率面とされている。
【００５３】
支持部１４１には、複数ずつの押さえ部１４３，１４４が設けられている。これら押さえ部１４３，１４４は、支持部１４１を構成する金属板の適所に切り込みや折り曲げを適宜施すことにより形成されたものである。複数の押さえ部１４３は、拡散カバー７００の２つの側板部７２０に設けられた複数の開口部７４０に対応する位置にある。複数の押さえ部１４４は、基板２００の長手方向両端２０４に対応する位置にある。
【００５４】
図８に示すように、ＬＥＤ光源装置１２１が筐体１１０に組み込まれた状態において、押さえ部１４３は、対応する開口部７４０を通じて拡散カバー７００の外側から内側に進入させられている。押さえ部１４３は、屈曲状とされており、起立部１４３ａおよびフック部１４３ｂを有する。起立部１４３ａは、支持部１４１から立ち上がってｚ方向（基板２００の厚さ方向）に延びている。フック部１４３ｂは、起立部１４３ａの端部につながるとともにｙ方向に延びて拡散カバー７００の内側に進入しており、基板２００の表面２０１に当接している。
【００５５】
本実施形態において、拡散カバー７００を支持プレート１４０に取り付ける際には、図８において想像線で示すように、押さえ部１４３を支持部１４１から離間するように持ち上げ、フック部１４３ｂを、開口部７４０を通じて拡散カバー７００の内側に進入させる。そうすると、フック部１４３ｂは、切込み部分の弾性復元力によって基板２００の表面２０１に当接する。このとき、基板２００は、フック部１４３ｂによって裏面２０２側に押さえられている。なお、押さえ部１４３における起立部１４３ａおよびフック部１４３ｂは、本発明でいう第１部分および第２部分に相当する。
【００５６】
図２、図７に示すように、ＬＥＤ光源装置１２１が筐体１１０に組み込まれた状態において、押さえ部１４４は、基板２００の長手方向端２０４を押さえている。押さえ部１４４は、押さえ部１４３と同様に起立部１４４ａおよびフック部１４４ｂを有する。拡散カバー７００を支持プレート１４０に取り付ける際には、押さえ部１４４を支持部１４１から離間するように持ち上げ、その後、フック部１４４ｂを、切込み部分の弾性復元力によって基板２００の表面２０１に当接させる。このとき、基板２００は、フック部１４４ｂによって裏面２０２側に押さえられている。
【００５７】
このようなことから理解されるように、基板２００は、複数ずつの押さえ部１４３，１４４によって裏面２０２側に押さえられ、基板２００、および基板２００の裏面２０２と当接する拡散カバー７００が、支持プレート１４０（支持部１４１）に取り付けられる。
【００５８】
なお、複数ずつの押さえ部１４３，１４４によって基板２００を押さえる、本実施形態の構成は、あくまで一例であり、基板２００の長手方向端２０４を押さえるための押さえ部１４４を具備しない構成としてもよい。また、開口部７４０とこれに対応する押さえ部１４３の数量および配置は、拡散カバー７００や基板２００のサイズに応じて適宜変更することが可能である。さらに、基板２００を押さえるための押さえ部の具体的構成については、適宜変更することが可能であり、たとえば支持プレート１４０とは別体の押さえ部を当該支持プレート１４０にビス止めなどにより取り付ける構成を採用することも可能である。また、押さえ部については、本実施形態のように支持プレートなどの部材を介して間接的に筐体に設けられる構成に限定されず、筐体に直接的に設けられる構成を採用することもできる。
【００５９】
受光センサ１３０は、原稿Ｄｃによって反射された光を読み取るものであり、たとえばセンサ基板１５０の長手方向に延びるＣＣＤラインセンサである。受光センサ１３０と筐体１１０の読取部１１１との間には、原稿Ｄｃからの反射光を受光センサ１３０上に集光させるためのレンズ１６０が設けられている。
【００６０】
上記構成の画像読取装置１０１を用いて原稿Ｄｃの記載内容を読み取る動作においては、２つのＬＥＤ光源装置１２１が異なる２方向に発する光によって原稿Ｄｃが照明され、当該原稿Ｄｃからの反射光がレンズ１６０を介して受光センサ１３０上に集光させられる。このとき、原稿Ｄｃ上の主走査方向に延びる１ラインの画像が受光センサ１３０上に結像させられ、かつ読み取られ、このような動作が、原稿Ｄｃが副走査方向に所定ピッチ移動する毎に繰り返されることにより、原稿Ｄｃの２次元画像が読みとられる。
【００６１】
次に、ＬＥＤ光源装置１２１および画像読取装置１０１の作用について説明する。
【００６２】
本実施形態によれば、複数のＬＥＤチップ３００からの光を拡散カバー７００によって拡散させることにより、ＬＥＤ光源装置１２１からの光にｘ方向における複数のピークが生じることを緩和することが可能である。したがって、ＬＥＤ光源装置１２１のｘ方向における輝度分布の均一化を図ることができる。
【００６３】
拡散カバー７００には、当該拡散カバー７００の外側に通じる開口部７４０が設けられている。このため、当該開口部７４０を通じて、拡散カバー７００の外側から内側に押さえ部１４３を進入させ、当該押さえ部１４３によって基板２００の表面２０１を押えることができる。そして、上述のように、基板２００とともに基板２００の裏面２０２と当接する拡散カバー７００も、支持プレート１４０側に押さえられて支持プレート１４０に取り付けられる。このような構成によれば、支持プレート１４０（画像読取装置１０１の筐体１１０）への基板２００および拡散カバー７００の取り付けを容易に行うことができる。
【００６４】
拡散カバー７００には複数の開口部７４０が設けられているため、これら複数の開口部７４０にそれぞれが対応した複数の押さえ部１４３を用いて基板２００を押さえることができる。これにより、支持プレート１４０への基板２００および拡散カバー７００の取り付けを的確に行うことができる。また、上記構成によれば、基板２００および拡散カバー７００（ＬＥＤ光源装置１２１）を、画像読取装置１０１において意図した位置に容易に組み込むことが可能である。このことは、ＬＥＤ光源装置１２１から原稿Ｄｃに照らされる光の輝度分布の均一化を図るうえで好ましい。
【００６５】
拡散カバー７００の２つの側板部７２０について、それぞれに複数の開口部７４０が設けられており、一方の側板部７２０に設けられた開口部７４０と、他方の側板部７２０に設けられた開口部７４０とは、ｘ方向における位置が一致している。このような複数の開口部７４０の配置によれば、基板２００全体をバランスよく押さえることができ、支持プレート１４０への基板２００および拡散カバー７００の取り付けをより的確に行うことができる。
【００６６】
基板２００の長手方向両端２０４は拡散カバー７００の外側に露出しており、当該長手方向両端２０４における表面２０１が押さえ部１４４によって裏面２０２側に押さえられている。このことは、支持プレート１４０への基板２００および拡散カバー７００の取り付けをより的確に行うのに適する。
【００６７】
開口部７４０の裏面側端７４２は、基板２００の表面２０１よりも裏面２０２に位置している。このような構成によれば、押さえ部１４３のうち開口部７４０を通じて拡散カバー７００の内側に進入させられる部分（フック部１４３ｂ）を、基板２００の表面２０１のみに当接させることがきる。このことは、基板２００を適切に押さえるうえで好ましい。また、フック部１４３ｂがｙ方向（基板２００の短手方向）に延びており、このこともフック部１４３ｂによって基板２００の表面２０１を押さえるのに好都合である。
【００６８】
本実施形態において、押さえ部１４３，１４４は、支持プレート１４０に切り込みや折り曲げを施すことにより形成される。これにより、画像読取装置１０１を効率よく製造することができる。
【００６９】
ＬＥＤ光源装置１２１においては、ＬＥＤチップ３００を基板２００に直接搭載することにより、ＬＥＤチップ３００からの熱を基板２００へと速やかに伝えることができる。基板２００の基材２１０をアルミナなどのセラミックスによって形成すれば、ＬＥＤチップ３００からの放熱を促進することができる。
【００７０】
リフレクタ４００に複数の中間リブ４２０を設けることにより、１対の反射面４１０どうしの間隔が変化してしまうことを抑制することができる。中間リブ４２０の高さが反射面４１０よりも低く、蛍光樹脂５００が中間リブ４２０上を跨ぐ構成であることにより、蛍光樹脂５００をｘ方向全域にわたって光らせることが可能である。これは、ＬＥＤ光源装置１２１のｘ方向輝度分布を均一にするのに適している。
【００７１】
本実施形態の画像読取装置１０１は、２つのＬＥＤ光源装置１２１を備えており、これら２つのＬＥＤ光源装置１２１が異なる２方向に発する光によって原稿Ｄｃが照明される。このような構成によれば、たとえば原稿Ｄｃに皺がある場合においても当該皺によって影が生じるのを防止することができる。このことは、画像読取装置１０１によって読み取られる画像の質を高めるうえで有利である。
【００７２】
図１２〜図２１は、本発明の変形例あるいは他の実施形態を示している。なお、これらの図において、上記実施形態と同一または類似の要素には、上記実施形態と同一の符号を付している。
【００７３】
図１２は、ＬＥＤ光源装置１２１の変形例を示している。本変形例のＬＥＤ光源装置１２１は、複数のＬＥＤモジュール３０５を備えている。複数のＬＥＤモジュール３０５は、図１２に示すように、基板２００の表面２０１上に搭載されており、たとえばｘ方向に等ピッチで配置されている。なお、図１３においては、配線パターン２２０およびレジスト層２３０を理解の便宜上省略している。
【００７４】
図１４に示すように、ＬＥＤモジュール３０５は、ＬＥＤチップ３００を有する小片の電子部品として構成されている。同図に例示されたＬＥＤモジュール３０５は、ＬＥＤチップ３００の他に、２つのリード３３０、リフレクタ３４０、蛍光樹脂３５０を備えている。本例のＬＥＤチップ３００は、サブマウント基板３０７および半導体層３０８からなり、いわゆる２ワイヤタイプのＬＥＤチップとして構成されている。なお、本発明に用いられるＬＥＤチップは、１ワイヤタイプ、２ワイヤタイプ、フリップチップタイプなど、様々な態様をとりうる。２つのリード３３０は、金属からなり、ワイヤを介してＬＥＤチップ３００に導通している。２つのリード３３０の図中下面は、ＬＥＤモジュール３０５を基板２００の配線パターン２２０に実装するための実装端子となっている。リフレクタ３４０は、たとえば白色樹脂からなり、ＬＥＤチップ３００を囲んでいる。リフレクタ３４０は、反射面３４１を有しており、ＬＥＤチップ３００から側方に出射された光を上方に向けて反射する。蛍光樹脂３５０は、上述した蛍光樹脂５００と同様の構成である。
【００７５】
このような変形例によっても、上述したＬＥＤ光源装置１２１と同様に、ｘ方向における輝度分布の均一化を図ることができる。また、本例から理解されるように、本発明に係るＬＥＤ光源装置においては、ＬＥＤチップを基板に直接搭載するChip On Board（ＣＯＢ）タイプの構成や、複数のＬＥＤモジュールを備える構成など、様々な構成を取りうる。
【００７６】
図１５は、本発明に係るＬＥＤ光源装置の他の例（第２実施形態）を示している。本実施形態のＬＥＤ光源装置１２２において、拡散カバー７００には、２つの位置決め凸部７５１が形成されている。２つの位置決め凸部７５１は、２つの側板部７２０に各別に形成されており、ｙ方向内方に向かって凸状である。２つの位置決め凸部は、互いのｚ方向位置が一致しており、ｚ方向において（ｙ方向視において）基板２００と重なっている。本実施形態においては、２つの位置決め凸部７５１は、ｘ方向に延びるリブ状とされており、拡散カバー７００の全長にわたって形成されている。
【００７７】
このような構成によれば、２つの位置決め凸部７５１によって、拡散カバー７００に対する基板２００のｙ方向位置を規定することができる。たとえば、拡散カバー７００を押出成形によって形成した場合、側板部７２０と底部７３０との継ぎ目に曲面が形成されることが一般的である。図１５に示した状態となるように基板２００の寸法を設定しても、基板２００の製造公差から基板２００が図示された大きさよりも大きくなったり、小さくなったりする可能性がある。基板２００が図示された大きさよりも大きくなっても、基板２００の側面２０３が位置決め凸部７５１と当接することとなる。このため、基板２００が上述した曲面と過大に干渉することを回避することができる。
【００７８】
図１６は、本発明に係るＬＥＤ光源装置の他の例（第３実施形態）を示している。本実施形態のＬＥＤ光源装置１２３は、２つの位置決め凸部７５２が形成されている。２つの位置決め凸部７５２は、底部７３０に形成されており、ｚ方向上方に向けて凸状とされている。また、位置決め凸部７５２は、上記実施形態の位置決め凸部７５１と同様にｘ方向に延びるリブ状とされている。２つの位置決め凸部７５２は、ｙ方向に離間しており、互いに平行である。
【００７９】
このような実施形態によれば、２つの位置決め凸部７５２によって基板２００を底部７３０から離間させることができる。これにより、基板２００の図中左下および右下の角部が、底部７３０と側板部７２０との継ぎ目の曲面に干渉することをより確実に回避することができる。
【００８０】
図１７は、本発明に係るＬＥＤ光源装置の他の例（第４実施形態）を示している。本実施形態のＬＥＤ光源装置１２４は、拡散カバー７００に２つの位置決め凸部７５１と２つの位置決め凸部７５２との双方が形成されている。このような実施形態によれば、基板２００と拡散カバー７００の上述した曲面との干渉をより確実に回避することができる。
【００８１】
図１８は、本発明に係るＬＥＤ光源装置の他の例（第５実施形態）を示している。本実施形態のＬＥＤ光源装置１２５は、拡散カバー７００に複数ずつの位置決め凸部７５４，７５５が形成されている。複数ずつの位置決め凸部７５４，７５５は、拡散カバー７００の外側から内側に向けて、たとえば十分に熱せられた金属ツールを押し当てることによって形成されており、ｘ方向において間隔をおいて配列されている。複数の位置決め凸部７５４は、２つの側板部７２０に形成されており、収容空間７０２への突出断面形状が、位置決め凸部７５１と類似している。複数の位置決め凸部７５５は、底部７３０に形成されており、収容空間７０２への突出断面形状が、位置決め凸部７５２と類似している。
【００８２】
このような実施形態によっても、基板２００と拡散カバー７００の上述した曲面との干渉を回避することができる。本実施形態から理解されるように、本発明で言う位置決め凸部は、拡散カバーの全長にわたって形成されるものに限定されず、拡散カバーの長手方向において部分的に、あるいは離散的に形成されたものであってもよい。
【００８３】
図１９は、本発明に係るＬＥＤ光源装置の他の例（第６実施形態）を示している。本実施形態のＬＥＤ光源装置１２６は、拡散カバー７００の底部７３０がｙ方向において分割されている点が、上述した実施形態と異なっている。これにより、拡散カバー７００のｙｚ平面における断面形状は、ｚ方向下方に開いた形状となっており、閉じた形状ではない。拡散カバー７００には、ＬＥＤ光源装置１２２と同様に、２つの位置決め凸部７５１が形成されている。
【００８４】
図２０に示すように、基板２００が拡散カバー７００に取り付けられていない状態（同図中における実線で示された状態）においては、２つの位置決め凸部７５１どうしのｙ方向における間隔は、基板２００の幅（ｙ方向寸法）よりも若干小とされている。ＬＥＤ光源装置１２６の製造においては、拡散カバー７００に基板２００を挿入すると、同図において想像線で示すように、基板２００が拡散カバー７００を押し広げながら進行する格好となる。これにより、ＬＥＤ光源装置１２６においては、拡散カバー７００が発揮する弾性力によって基板２００が挟まれた状態となる。
【００８５】
このような実施形態によれば、基板２００を拡散カバー７００に対して確実に取り付けることができる。製造公差に起因して基板２００の幅にばらつきがあっても、このばらつきをあらかじめ考慮して拡散カバー７００の寸法を決定しておけば、拡散カバー７００によって基板２００を好適に保持することができる。なお、本実施形態においては、２つの位置決め凸部７５１を採用した構成を示しているが、上述した位置決め凸部７５２，７５４，７５５を適宜採用してよいことはもちろんである。
【００８６】
図２１は、本発明に係る画像読取装置の他の例を示している。同図に示された画像読取装置１０２は、筐体１１０、ガラスカバー１１２、カバー１１３、ＬＥＤ光源装置１２１、および受光センサ１３０を備えて構成されたフラットベッド型スキャナである。
【００８７】
筐体１１０は、図２１において、紙面に垂直である方向（主走査方向）に一定幅を有し、左右方向（副走査方向）に長く延びる箱状に形成されている。筐体１１０の厚さ方向（同図中上下方向）における上部には透明なガラスカバー１１２が嵌め込まれており、このガラスカバー１１２の表面に原稿Ｄｃが載置される。さらに、筐体１１２の上部には、開閉可能なカバー１１３が設けられている。カバー１１３は、原稿Ｄｃの記載内容の読取時にガラスカバー１１２を覆い、外部からの光を遮断することが可能である。この筐体１１０の内部には、ＬＥＤ光源装置１２１および受光センサ１３０が収容されている。
【００８８】
本実施形態では、２つのＬＥＤ光源装置１２１と１つの受光センサ１３０とが、キャリッジ１７０に固定されている。より詳細には、ＬＥＤ光源装置１２１は、支持プレート１４０を介してキャリッジ１７０に固定されており、受光センサ１３０は、センサ基板１５０を介してキャリッジ１７０に固定されている。筐体１１０の内部には、キャリッジ１７０をガイドレール１８０に沿って副走査方向に移動させるための駆動手段（図示略）が設けられている。
【００８９】
画像読取装置１０２のように、本発明に係る画像読取装置は、フラットベッド型スキャナとして構成することが可能であり、また、図示説明は省略するが、シートフィード型スキャナとフラットベッド型スキャナの両方の機能を兼ね備えた構成を採用することも可能である。
【００９０】
本発明に係るＬＥＤ光源装置および画像読取装置は、上述した実施形態に限定されるものではない。本発明に係るＬＥＤ光源装置および画像読取装置の各部の具体的な構成は、種々に設計変更自在である。
【符号の説明】
【００９１】
ｘ        （長手）方向
ｙ        （短手）方向
ｚ        （厚さ）方向
Ｄｃ      原稿
１０１，１０２  画像読取装置
１１０    筐体
１１１    読取部
１１２    ガラスカバー
１１３    カバー
１２１，１２２，１２３，１２４，１２５，１２６  ＬＥＤ光源装置
１３０    受光センサ
１４０    支持プレート
１４１    支持部
１４２    傾斜部
１４３    押さえ部
１４３ａ  起立部（第１部分）
１４３ｂ  フック部（第２部分）
１４４    （追加の）押さえ部
１４４ａ  起立部
１４４ｂ  フック部
１５０    センサ基板
１６０    レンズ
１７０    キャリッジ
１８０    ガイドレール
２００    基板
２０１    表面
２０２    裏面
２０３    側面
２０４    長手方向端
２１０    基材
２２０    配線パターン
２３０    レジスト層
３００    ＬＥＤチップ
３０１    ＬＥＤチップグループ
３０５    ＬＥＤモジュール
３１０    ツェナーダイオード
３２０    抵抗器
３３０    リード
３４０    リフレクタ
３５０    蛍光樹脂
４００    リフレクタ
４１０    反射面
４２０    中間リブ
４３０    端部リブ
４４０    追加リブ
５００    蛍光樹脂
７００    拡散カバー
７０１    拡散促進空間
７０２    収容空間
７１０    天板部（天井部）
７２０    側板部
７３０    底部
７４０    開口部
７４１    表面側端
７４２    裏面側端
７５１，７５２，７５４，７５５  位置決め凸部
【図１】
2014022805.tif 000003
【図２】
2014022805.tif 000004
【図３】
2014022805.tif 000005
【図４】
2014022805.tif 000006
【図５】
2014022805.tif 000007
【図６】
2014022805.tif 000008
【図７】
2014022805.tif 000009
【図８】
2014022805.tif 000010
【図９】
2014022805.tif 000011
【図１０】
2014022805.tif 000012
【図１１】
2014022805.tif 000013
【図１２】
2014022805.tif 000014
【図１３】
2014022805.tif 000015
【図１４】
2014022805.tif 000016
【図１５】
2014022805.tif 000017
【図１６】
2014022805.tif 000018
【図１７】
2014022805.tif 000019
【図１８】
2014022805.tif 000020
【図１９】
2014022805.tif 000021
【図２０】
2014022805.tif 000022
【図２１】
2014022805.tif 000023